(57)【要約】【課題】タブに対して適切な姿勢で指を掛けることができ、容易に開口を形成することができる缶蓋を提供する。【解決手段】缶蓋１Ａは、タブ７にスコア５の一部に臨むタブノーズを有し、パネル２に、タブ７を固定するリベット６と、一対のディンプル１２と、その一対のディンプル１２の間に設けられた凹部１３とを有する。凹部１３は、一対のディンプル１２の間における幅がリベット６及びタブノーズ９を通る線上における幅よりも短くなる長溝状に形成されている。【選択図】図１
2017030849.tif 000002
【特許請求の範囲】
【請求項１】
外周縁部にカール部が形成された缶蓋であって、
前記カール部の内側のパネルと、前記パネルの外周に形成されたスコアと、前記スコアを破断して前記パネルを開口するタブとを備え、
前記タブは、前記パネルに固定される固定部と、前記固定部の先端部に形成され、前記スコアの一部に臨むタブノーズと、前記タブノーズの反対側の後端部に形成された指掛け部とを有し、
前記パネルは、前記タブの前記固定部を固定するリベットと、前記タブの前記後端部に近接する一対のディンプルと、前記一対のディンプルの間に設けられた凹部とを有し、
前記凹部は、前記リベット及び前記タブノーズを通る線上における長さが前記一対のディンプルの間における幅よりも長くなる長溝状に形成されていることを特徴とする缶蓋。
【請求項２】
請求項１に記載の缶蓋であって、
前記凹部の底部と前記リベット及び前記タブノーズを通る線に沿う方向に延びる前記凹部の側縁部との間には、前記側縁部から前記底部に向かって傾斜するテーパ部が形成されていることを特徴とする缶蓋。
【請求項３】
請求項１又は請求項２に記載の缶蓋であって、
前記凹部の底部は、前記タブの前記後端部に近づくほど、徐々に深くなるように傾斜していることを特徴とする缶蓋。
【請求項４】
請求項１〜請求項３のいずれか１項に記載の缶蓋であって、
前記凹部の前記リベット側の縁部は、前記タブの前記後端部の縁よりも前記リベット側に位置していることを特徴とする缶蓋。
【請求項５】
請求項１〜請求項３のいずれか１項に記載の缶蓋であって、
前記凹部の前記リベット側の縁部は、前記タブの前記後端部と平面視で重なるように位置していることを特徴とする缶蓋。
【請求項６】
請求項１〜請求項５のいずれか１項に記載の缶蓋であって、
前記指掛け部は、前記パネル中央部側に位置し、
前記ディンプルの断面形状は、滑らかな山となるように隆起した形状であり、
前記ディンプルの頂部は、前記タブの両側縁部よりも内側、かつ、前記タブの前記指掛け部の端部から２ｍｍ〜５ｍｍの範囲に位置し、
前記ディンプルの頂点は、前記指掛け部の厚さ方向における下面より高い位置に位置することを特徴とする缶蓋。
【請求項７】
請求項６に記載の缶蓋であって、
前記ディンプルの頂点は、前記タブの前記指掛け部の厚さ方向における上面と下面との内側に位置することを特徴とする缶蓋。
【発明の詳細な説明】
【技術分野】
【０００１】
本発明は、タブを操作することにより、パネルに形成されたスコアを破断して、パネルに開口を形成する缶蓋に関する。
【背景技術】
【０００２】
魚肉や惣菜等の固形或いは半固形の食料を収容する缶体の天蓋として用いられる缶蓋として、その外周縁部を巻き込んで形成したカール部と、そのカール部の内側に位置するパネルと、パネルの外周に全周に亘って形成されたスコアと、スコアを破断してパネルを開口するタブとを備え、タブを操作することによってスコアを破断してパネルを開口することができるフルオープン缶蓋が知られている。
【０００３】
この種の缶蓋において、タブは、パネルにタブを固定するリベットと、スコアに当接するタブノーズと、タブノーズの反対側となる後端部に設けられた指掛け部とを有するものが知られている。また、この種の缶蓋において、タブの指掛け性を向上させるために、タブの指掛け部のほぼ全てと重なるようにして、パネルに凹部を設けたものが知られている（例えば、特許文献１参照。）。
【０００４】
また、この種の缶蓋としては、保管・輸送を行うために積み重ねた場合等に、他の缶蓋の外周縁部がタブの指掛け部の下にもぐり込み、タブが意図せず持ち上げられてしまうおそれがあった。
【０００５】
そこで、断面形状が滑らかな山となるように隆起したディンプルをパネルの適切な位置に設けることによって、そのような意図しないタブの持ち上げを防止できるようにしたものが知られている（例えば、特許文献２参照。）。
【先行技術文献】
【特許文献】
【０００６】
【特許文献１】登録実用新案第３１８９１８０号公報
【特許文献２】特許第４２０８３０８号公報
【発明の概要】
【発明が解決しようとする課題】
【０００７】
ところで、従来の缶蓋では、タブの指掛け部に対して凹部が大きく形成されているため、タブに対して様々な方向から、容易に指を掛けることができる。
【０００８】
しかし、タブに対する指掛け位置が、リベット及びタブノーズを通る線から大きくずれている場合には、タブを引き上げたときに、タブノーズが傾いた状態でスコアに当接し、スコアが適切に破断されず、パネルの開口が困難になるという問題があった。
【０００９】
本発明は、以上の点に鑑みてなされたものであり、外周縁部にカール部が形成された缶蓋であって、カール部の内側のパネルと、パネルの外周に形成されたスコアと、スコアを破断してパネルを開口するタブとを備えた缶蓋において、タブに対して適切な姿勢で指を掛けることができ、容易に開口を形成することができる缶蓋を提供することを目的とする。
【課題を解決するための手段】
【００１０】
上記目的を達成するために、本発明の缶蓋は、外周縁部にカール部が形成された缶蓋であって、カール部の内側のパネルと、パネルの外周に形成されたスコアと、スコアを破断してパネルを開口するタブとを備え、タブは、パネルに固定される固定部と、固定部の先端部に形成され、スコアの一部に臨むタブノーズと、タブノーズの反対側の後端部に形成された指掛け部とを有し、パネルは、タブの固定部を固定するリベットと、タブの後端部に近接する一対のディンプルと、一対のディンプルの間に設けられた凹部とを有し、凹部は、リベット及びタブノーズを通る線上における長さが一対のディンプルの間における幅よりも長くなる長溝状に形成されていることを特徴とする。
【００１１】
本発明の缶蓋では、一対のディンプルの間に設けられた凹部が、リベット及びタブノーズを通る線上における長さが一対のディンプルの間における幅よりも長くなる長溝状に形成されている。その結果として、タブに指を掛ける際に、指が凹部の側縁部に沿って（すなわち、長手方向に沿って）直線的に案内され、リベット及びタブノーズを通る線上でタブに掛けられることになる。
【００１２】
そのため、凹部による案内によって指が掛けられた位置でタブを引き上げる操作を行うと、リベットを支点として、タブノーズが適切な姿勢でスコアに作用する。すなわち、タブを引き上げたときに、タブノーズが傾いた状態でスコアに当接することが防止されるので、スコアが適切に破断され、容易にパネルを開口させることができる。
【００１３】
また、本発明の缶蓋においては、凹部の底部とリベット及びタブノーズを通る線に沿う方向に延びる凹部の側縁部との間には、側縁部から底部に向かって傾斜するテーパ部が形成されていることが好ましい。
【００１４】
上記のようなテーパ部を設ければ、そのテーパ部が指の爪の両側面の曲面に当接しやすくなるので、指の案内がさらに容易になる。
【００１５】
また、本発明の缶蓋においては、凹部の底部は、タブの後端部に近づくほど、徐々に深くなるように傾斜していることが好ましい。
【００１６】
上記のように凹部の底部を傾斜させれば、タブの指掛け部にさらに指を掛けやすくなる。
【００１７】
また、缶体の製造工程においては、缶蓋を別途生産し、保管・輸送を行うことがある。その場合には缶蓋は重ねられる。しかし、パネルの表面に凹凸が設けられている場合には裏側にも凹凸が形成されるので、スタック性が低下するおそれがある。そこで、タブ側の凹部の縁部に近づくほど徐々に深くなるように傾斜させて、パネルの凹凸を抑えれば、十分な深さが必要となるタブ近傍以外の部分ではスタック性に対する影響を抑えることができる。
【００１８】
また、本発明の缶蓋としては、凹部のリベット側の縁部は、タブの後端部の縁よりもリベット側に位置する、又は、凹部のリベット側の縁部は、タブの後端部と平面視で重なるように位置するように構成してもよい。
【００１９】
また、本発明の缶蓋においては、指掛け部は、パネル中央部側に位置し、ディンプルの断面形状は、滑らかな山となるように隆起した形状であり、ディンプルの頂部は、タブの両側縁部よりも内側、かつ、タブの指掛け部の端部から２ｍｍ〜５ｍｍの範囲に位置し、ディンプルの頂点は、指掛け部の厚さ方向における下面より高い位置に位置することが好ましい。さらに、このように構成した場合においては、ディンプルの頂点は、タブの指掛け部の厚さ方向における上面と下面との内側に位置することが好ましい。
【００２０】
一般に、本発明を適用可能なフルオープン缶蓋においては、缶蓋を積重ねた状態で保管・輸送、その他の工程が行われるので、その際に、意図しないタブの指掛け部の持ち上がりが生じるおそれがある。
【００２１】
また、本発明の缶蓋では、一対のディンプルの間に特定形状の凹部を設け、指掛け性及び開口性を向上させているので、そのような特定形状の凹部を設けた本発明の缶蓋に適した意図しないタブの指掛け部の持ち上がり防止策を設けることが望ましい。
【００２２】
そこで、本発明における防止策としては、一対のディンプルとして、断面形状が滑らかな山となるように隆起した形状であり、頂部がタブの両側縁部よりも内側、かつ、タブの指掛け部の端部から２ｍｍ〜５ｍｍの範囲に位置し、頂点がタブの指掛け部の厚さ方向における下面より高い位置に位置するように形成したもの、さらに、好ましくは、タブの指掛け部の厚さ方向における上面と下面の内側に位置するように形成したものを用いるとよい。
【図面の簡単な説明】
【００２３】
【図１】本発明の第１実施形態に係る缶蓋の構成を示す模式図であり、１Ａは平面図、１Ｂは１ＡのＩ−Ｉ線における断面図。
【図２】本発明の第２実施形態に係る缶蓋の構成を示す模式図であり、２Ａは平面図、２Ｂは２ＡのＩＩ−ＩＩ線における断面図、２Ｃは２Ｂの中央部周辺を拡大して示す断面図。
【図３】本発明の第３実施形態に係る缶蓋の構成を示す模式図であり、３Ａは平面図、３Ｂは３ＡのＩＩＩ−ＩＩＩ線における一部断面図、３Ｃは３Ｃ中央部周辺を拡大して示す断面図。
【発明を実施するための形態】
【００２４】
［第１実施形態］
まず、本実施形態の缶蓋１Ａの構成について説明する。
【００２５】
図１Ａに示すように、缶蓋１Ａは、円盤状の金属板により形成されている。缶蓋１Ａは、缶体（不図示）の上部を閉塞するパネル２を備え、パネル２の外周縁部には、缶体の上縁に巻き締めるカール部３が形成されている。カール部３は、パネル２の周縁から起立し、パネル２を包囲するチャックウォール４を備えている。
【００２６】
パネル２には、カール部３のチャックウォール４の内側に環状のスコア５が形成されている。パネル２において、スコア５に包囲された内側面は、パネル開口片２ａとして切除され、スコア５の外側周縁部はパネル枠２ｂとして缶体に残留するようになっている。パネル開口片２ａには、リベット６を介してタブ７が取り付けられている。リベット６は、パネル開口片２ａの周縁部の一部寄りに突出して形成されている。
【００２７】
タブ７には、リベット６によりパネル開口片２ａに固定される固定部８を有している。固定部８には、リベット６が挿通されるリベット孔８ａが形成されており（図１Ｂ参照）、リベット孔８ａに挿通されたリベット６をかしめることにより、タブ７がパネル２に対して強固に連結される。
【００２８】
また、タブ７は、固定部８の先端側に形成され、スコア５の一部に臨むタブノーズ９と、タブノーズ９の反対側の後端部に形成されたリング状の指掛け部１０とを備えている。指掛け部１０の後端部は、パネル２の外周側のチャックウォール４から離間した位置で、パネル２から離れるように傾斜しており、所定の間隙が形成されている（図１Ｂ参照）。
【００２９】
また、パネル２には、リベット６のパネル開口片２ａの内方側における近傍に、リベット孔８ａの一方側を囲むようにして、曲線状の補助スコア１１が形成されている。また、パネル２には、タブ７の指掛け部１０の後端部に近接する位置に、一対のディンプル１２が形成されている。
【００３０】
この種の缶蓋では、保管・輸送する場合に、他の缶蓋の外周縁がタブ７の指掛け部１０の下にもぐり込み、指掛け部１０が意図せず持ち上げられてしまうおそれがあるが、本実施形態の缶蓋１Ａでは、ディンプル１２を設けることによってそのようなもぐり込みを防止している。
【００３１】
図１Ｂに示すように、ディンプル１２の断面形状は、滑らかな山となるように隆起した形状となっている。また、図１Ａに示すように、ディンプル１２の頂部は、タブ７の両側縁部よりも内側、かつ、タブ７の指掛け部１０の端部から２ｍｍ〜５ｍｍの範囲に位置している。なお、２ｍｍ〜４ｍｍの範囲に位置しているとさらに好ましい。また、図１Ｂに示すように、ディンプル１２の頂点は、タブ７の指掛け部１０の厚さ方向における上面と下面の内側に位置している。また、ディンプル１２は、タブ７の指掛け部１０から所定の間隔を存して設けられている。
【００３２】
なお、本発明におけるディンプルは、上記の形状に限定されるものではない。具体的には、例えば、ディンプル１２の頂点は、少なくとも指掛け部１０の厚さ方向における下面より高い位置に位置していればよい。また、例えば、ディンプル１２がタブ７の指掛け部１０に当接するように形成されていてもよい。
【００３３】
さらに、パネル２には、タブ７の指掛け部１０の後端部が臨む位置に、凹部１３が形成されている。凹部１３は、一対のディンプル１２の間における幅（図１ＡにおけるＸ線上の長さ）が、リベット６及びタブノーズ９を通る線上における幅（図１ＡにおけるＹ線上の長さ）よりも短くなるように形成されている。すなわち、凹部１３は、リベット６及びタブノーズ９を通る線上における長さが一対のディンプル１２の間における幅よりも長くなる長溝状に形成されている。
【００３４】
凹部１３のＸ線上の長さ（一対のディンプル１２の間の長さ）は７ｍｍ〜１２ｍｍの範囲内、Ｙ線上の長さ（タブ７の後端部からタブ７とは反対側の縁までの長さ）は１０ｍｍ〜１４ｍｍの範囲内となるように構成されている。
【００３５】
凹部１３の周縁部のうち、リベット６及びタブノーズ９に向かって延びる側縁部１３ａは、直線状に形成されている。凹部１３の周縁部のうち、リベット６及びタブノーズ９側にある先端側縁部１３ｂ並びにリベット６及びタブノーズ９から離れた側にある後端側縁部１３ｃは、曲線状に形成されている。先端側縁部１３ｂは、指掛け部１０の縁（すなわち、タブ７の後端部の縁）よりもリベット６側に位置している。
【００３６】
凹部１３の底部１３ｄと、周縁部（側縁部１３ａ，先端側縁部１３ｂ、後端側縁部１３ｃ）との間には、周縁部から底部１３ｄに向かって傾斜するテーパ部１３ｅが形成されている。このテーパ部１３ｅの傾斜は、人間の指の爪の両側面の曲面に当接しやすい形状となっている（図１Ａで二点鎖線で示した指の形状参照。）。
【００３７】
図１Ｂに示すように、凹部１３の底部１３ｄは、Ｙ線上において、タブ７の後端部に近づくほど、徐々に深くなるように傾斜している。このため、缶蓋１Ａの裏側における凹部１３の突出量は、凹部１３が傾斜していない場合に比べて抑えられている。
【００３８】
そのため、凹部１３が形成した場合であっても、複数の缶蓋１Ａを重ね合わせた際におけるスタック性が大きく低下することはない。
【００３９】
次に、上記の構成を備えた本実施形態の缶蓋１Ａの開口時の作用を説明する。
【００４０】
まず、指先を凹部１３に沿ってタブ７に近づける。凹部１３は、一対のディンプル１２の間で、一対のディンプル１２の間における幅がリベット６及びタブノーズ９を通る線上における幅よりも短くなる長溝状に形成されているので、その凹部１３によって案内された指は、リベット６及びタブノーズ９を通る線上でタブ７の指掛け部１０に掛けられることになる。
【００４１】
次に、指でタブ７の指掛け部１０の縁部を押し上げリベット６の方向に起こす。このとき、指がリベット６及びタブノーズ９を通る線上でタブ７の指掛け部１０に掛けられているので、タブ７を引き上げたときにタブノーズ９が傾かずに、適切な姿勢でスコア５に当接する。そのため、タブノーズ９からスコア５に、指からの力が無駄なく伝わるので、この後のスコア５の破断を容易に行うことができる。
【００４２】
その後、さらに指掛け部１０を起こすと、タブノーズ９の先端がスコア５近傍に当接し、この当接部分を支点としてリベット６が持ち上げられて補助スコア１１が破断される。補助スコア１１が破断されたことによって、タブ７はリベット６部分を介して、パネル枠２ｂに対し容易に揺動できるようになる。
【００４３】
続けて、さらにタブ７の指掛け部１０を起こすと、リベット６部分を含む補助スコア１１両端を支点としてタブノーズ９の先端がスコア５近傍を押し下げてスコア５を破断する（初期破断）。さらに指掛け部１０を起こすと、補助スコア１１の両端からパネル開口片２ａの一部が下方に折れ曲がる。
【００４４】
そして、タブ７の指掛け部１０のリング状の部分に指を入れてタブ７全体を上方に引き上げると、タブ７と共にパネル開口片２ａが引き上げられる。これにより、初期破断が行われたスコア５から全周にわたってスコア５の破断が進行し、タブ７とともにパネル開口片２ａが取り除かれて、パネル枠２ｂの内周側に開口部が形成される。
【００４５】
［第２実施形態］
図２を参照して、本実施形態の缶蓋について説明する。ただし、本実施形態の缶蓋１Ｂは、第１実施形態の缶蓋１Ａとパネル２に設けられた凹部１３の位置のみが異なるので、その構成についてのみ詳細に説明する。また、第１実施形態の缶蓋１Ａと同様の構成については同じ符号を付すとともに、それらについての説明は省略する。
【００４６】
図２に示すように、本実施形態の缶蓋１Ｂでは、凹部１３の先端側縁部１３ｂは、指掛け部１０の縁（すなわち、タブ７の後端部）と平面視で重なるように構成されている。このように構成した場合であっても、上記第１実施形態の缶蓋と同様の効果を得ることができる。
【００４７】
［第３実施形態］
図３を参照して、本実施形態の缶蓋について説明する。ただし、本実施形態の缶蓋１Ｃは、第２実施形態の缶蓋１Ｂと外形の形状のみが異なるので、その構成についてのみ詳細に説明する。また、第１実施形態の缶蓋１Ａ及び第２実施形態の缶蓋１Ｂと同様の構成については同じ符号を付すとともに、それらについての説明は省略する。
【００４８】
図３に示すように、本実施形態の缶蓋１Ｃの外径は、略矩形状に形成されている。また、凹部１３の先端側縁部１３ｂは、第２実施形態の缶蓋１Ｂと同様に、指掛け部１０の縁（すなわち、タブ７の後端部の端面）と平面視で重なるように構成されている。このように構成した場合であっても、上記第１実施形態の缶蓋１Ａ及び第２実施形態の缶蓋１Ｂと同様の効果を得ることができる。
【００４９】
また、本実施形態の缶蓋１Ｃでは、外形が略矩形状に形成されているので、缶蓋１Ｃの向き（Ｙ線上における向き）を入れ替えつつ重ねることができる。そのように重ねた場合には、凹部１３を設けたことにより形成されてしまう缶蓋１Ｃの裏側の面の凸部が、タブ７に当接することがなく、スタック性が低下することがない。
【００５０】
［その他の実施形態］
以上、図示の実施形態について説明したが、本発明はこのような形態に限られるものではなく、他の缶蓋等にも適用可能である。例えば、缶蓋の形状を、円盤状や略矩形状ではなく、その他の形状にしてもよい。
【００５１】
また、上記第１実施形態においては、凹部１３の先端側縁部１３ｂを指掛け部１０の縁（すなわち、タブ７の後端部の縁）よりもリベット６側に位置するように構成している。また、上記第２実施形態及び第３実施形態においては、凹部１３の先端側縁部１３ｂを指掛け部１０の縁と重なるように構成している。しかし、本発明の凹部の先端側の縁部は、第１実施形態〜第３実施形態で図示した位置よりも、リベット側に位置するように構成されていてもよい。
【００５２】
また、上記実施形態においては、凹部１３が、底部１３ｄと周縁部（側縁部１３ａ，先端側縁部１３ｂ、後端側縁部１３ｃ）との間にテーパ部１３ｅを有する形状となっている。しかし、本発明の缶蓋では、テーパ部を省略してもよいし、底部と側縁部との間においてのみテーパ部を形成するようにしてもよい。また、上記実施形態においては、凹部１３の底部１３ｄは、タブ７の後端部に近づくほど、徐々に深くなるように傾斜している。しかし、本発明の缶蓋では、底部を傾斜させず、平坦なものとしてもよい。
【符号の説明】
【００５３】
１Ａ，１Ｂ，１Ｃ…缶蓋、２…パネル、２ａ…パネル開口片、２ｂ…パネル枠、３…カール部、４…チャックウォール、５…スコア、６…リベット、７…タブ、８…固定部、８ａ…リベット孔、９…タブノーズ、１０…指掛け部、１１…補助スコア、１２…ディンプル、１３…凹部、１３ａ…側縁部、１３ｂ…先端側縁部、１３ｃ…後端側縁部、１３ｄ…底部、１３ｅ…テーパ部。
【図１】
2017030849.tif 000003
【図２】
2017030849.tif 000004
【図３】
2017030849.tif 000005